(57)【特許請求の範囲】
【請求項１】
導電部材からなる導電板と、
前記導電板の裏面から表面に向けて凸状に設けられた二つの接点部と、
前記導電板の裏面に配設され弾性及び導電性を有する材料から細長状に形成された瞬断防止部材と、
前記接点部に開口された窓とを備え、
前記瞬断防止部材は前記二つの接点部に対応してそれぞれ設けられ、
前記各瞬断防止部材の長手方向の一端は導電板の裏面に取着され、
前記各瞬断防止部材の他端には、前記窓から前記導電板の表面側に突出し、かつ突出する方向に付勢された端子が形成された電池の接続構造において、
前記二つの瞬断防止部材は、それらの一端が連結された単一の部材により形成されている、
ことを特徴とする電池の接続構造。
【請求項２】
前記二つの接点部は、延在方向が互いに平行な二つの凸条から構成されていることを特徴とする請求項１記載の電池の接続構造。
【請求項３】
前記各瞬断防止部材は、前記瞬断防止部材の長手方向が前記凸条の延在方向と平行となるように延在していることを特徴とする請求項２記載の電池の接続構造。
【請求項４】
前記各瞬断防止部材の一端には巻回部が構成されており、前記各瞬断防止部材の一端の連結は、前記各巻回部の接線方向に延在する前記瞬断防止部材の部分によってなされていることを特徴とする請求項１記載の電池の接続構造。
【請求項５】
前記巻回部には軸状の部材が挿通され、この軸状の部材が前記導電板に取付けられることで前記瞬断防止部材の一端の前記導電板への取着がなされていることを特徴とする請求項４記載の電池の接続構造。
【請求項６】
前記瞬断防止部材の材料は線状材料または板状材料から構成されていることを特徴とする請求項１記載の電池の接続構造。
【発明の詳細な説明】
【０００１】
【発明の属する技術分野】
本発明は電池の接続構造に関する。
【０００２】
【従来の技術】
図４は電池から電力を供給されて動作する電子機器に設けられる電池の接続構造を示す斜視図であり、図５は図４のＢＢ線縦断面図である。
電池１０の両端に設けられた端子１２に対面するように設けられた導電性部材からなる板状の一対の導電板１４（図４、図５には一方の導電板のみ示す）が設けられている。導電板１４には、電池１０の各端子１２に接触する箇所が電池１０の各端子１２をそれぞれ弾性的に押圧するように裏面から表面に向けて凸状に形成された接点部１６が設けられている。
導電板１４には不図示のリード線が接続され、このリード線を介して不図示の被電源供給部に電池１０の電力が供給されるようになっている。
【０００３】
各接点部１６には、各電池１０の端子１２に面して開口された窓１８が設けられている。各接点部１６の裏面には、線材細工ばねなどの弾性及び導電性を有する線状材料で構成された瞬断防止部材２０の一端部２０Ａがかしめ軸２２などの固定手段によって固定されている。この瞬断防止部材２０の他端に設けられた端子２０Ｂは、窓１８から各電池１０の端子１２に向かって突出するように瞬断防止部材２０のばね性によって常時付勢されている。
したがって、図５に示すように、電子機器が強い振動などを受けて電池１０が接点部１６から浮き上がり、この接点部１６と端子１２の接続が切断された場合、瞬断防止部材２０の端子２０Ａがこの端子１２の移動に追従して端子１２との接触状態を維持し、電池１０からの被電力供給部に対する電力供給が瞬断防止部材２０を経由して行われ瞬断が防止されるようになっている。
【０００４】
図６は２個の電池を直列に接続する電池の接続構造を示す斜視図であり、図７は図６のＣＣ線断面図である。
この場合には、一方の電池１００の正の端子１２０と他方の電池１０２の負の端子１２２を接続するために同一の導電板１４に２つの接点部１６０、１６２が設けられている。また、窓１８、瞬断防止部材２００、２０２、それらの端子２００Ｂ、２０２Ｂ及びかしめ軸２２も２つの電池の端子の各々に対応して設けられている。
ここで、電池１００の端子１２０と電池１０２の端子１２２間に形成される抵抗分ＲＡは、端子１２０と接点部１６０の間の接触抵抗Ｒ１、接点部１６０、１６２の間の導体抵抗Ｒ２、接点部１６２と電池１０２の端子１２２間の接触抵抗Ｒ３の総和となる。
【０００５】
次に、図７に示すように、振動などによって電池１２Ａ、１２Ｂが浮き上がって、瞬断防止部材２０を介して電流が流れた場合における電池１００の端子１２０と電池１０２の端子１２２間に形成される抵抗分ＲＢは、電池１００の端子１２０と瞬断防止部材２００の端子２００Ｂ間の接触抵抗Ｒ１１、瞬断防止部材２００の導体抵抗Ｒ１２、瞬断防止部材２００の一端２００Ａと接点部１６０間の接触抵抗Ｒ１３、接点部１６０、１４２間の導体抵抗Ｒ１４、接点部１６２と瞬断防止部材２０２の一端２０２Ａ間の接触抵抗Ｒ１５、瞬断防止部材２０２の導体抵抗Ｒ１６、瞬断防止部材２０２の端子２０２Ｂと電池１０２の端子１２２間の接触抵抗Ｒ１７の総和となる。
【０００６】
【発明が解決しようとする課題】
したがって、瞬断防止部材を介して流れる場合に生じる抵抗分ＲＢは、電池の電流が導電板のみを介して流れる場合に生じる抵抗分ＲＡよりも増大するため、電池の電力がこの増大した抵抗分ＲＢで無駄に消費されてしまい、低消費電力化が必要な電子機器では大きな問題となっている。
本発明は上述の事情に基づいてなされたものであって、本発明の目的は、瞬断防止部材を介して電流が流れる際における無駄な電力消費を防止する電池の接続構造を提供することにある。
【０００７】
【課題を解決するための手段】
前記目的を達成するため本発明は、導電部材からなる導電板と、前記導電板の裏面から表面に向けて凸状に設けられた二つの接点部と、前記導電板の裏面に配設され弾性及び導電性を有する材料から細長状に形成された瞬断防止部材と、前記接点部に開口された窓とを備え、前記瞬断防止部材は前記二つの接点部に対応してそれぞれ設けられ、前記各瞬断防止部材の長手方向の一端は導電板の裏面に取着され、前記各瞬断防止部材の他端には、前記窓から前記導電板の表面側に突出し、かつ突出する方向に付勢された端子が形成された電池の接続構造において、前記二つの瞬断防止部材は、それらの一端が連結された単一の部材により形成されていることを特徴としている。
【０００８】
本発明では、各瞬断防止部材がそれらの一端が連結された単一の部材により形成されているため、振動などによって電池の端子が各接点部から離間して電池の電流が各瞬断防止部材を流れる場合に、各瞬断防止部材と導電板間の接触抵抗分による無駄な電力消費（ロス）が生じない。
【０００９】
【発明の実施の形態】
以下、本発明の実施の形態を図面を参照して説明する。
図１は本発明の電池の接続構造の実施の形態を示す一部を破断した斜視図であり、図２は図１のＡＡ線縦断面図であり、電池が接点部から離間した状態を示している。
導電部材からなる導電板１４には、電池１００、１０２の端子１２０、１２２に対応して、裏面から表面に向かって凸状に設けられた接点部１６０、１６２が形成されている。各接点部１６０、１６２は、延在方向が互いに平行な２つの凸条から構成されている。
これら接点部１６０、１６２には、窓１８がそれぞれ開口されている。
【００１０】
導電板１４の裏面には、弾性及び導電性を有する細長状に形成された材料、例えば線状材料からなる瞬断防止部材２０４、２０６が配設されており、各瞬断防止部材２０４、２０６は、それらの長手方向が接点部１６０、１６２の延在方向と平行となるように延在している。
【００１１】
これら瞬断防止部材２０４、２０６の長手方向の一端には、それぞれ巻回部２０８、２１０が形成されており、これら巻回部２０８、２１０の接線方向に延在する中間部２０９によって瞬断防止部材２０４、２０６の長手方向の一端が互いに連結されている。すなわち、これら瞬断防止部材２０４、２０６は、単一の部材によって形成されている。
【００１２】
これら巻回部２０８、２１０には、かしめ軸２２が挿通され、このかしめ軸２２が接点部１６０、１６２に設けられた孔１６０Ａ、１６２Ａに取着されることにより、瞬断防止部材２０４、２０６が導電板１４の裏面に固定されている。
瞬断防止部材２０４、２０６の他端には、窓１８から突出する方向に付勢された端子２０４Ａ、２０６Ａが設けられている。各端子２０４Ａ、２０６Ａは各瞬断防止部材２０４、２０６の他端を巻回して形成されている。
【００１３】
次に作用効果について説明する。
電池１００、１０２が各接点部１６０、１６２から浮き上がっていない通常の場合、電池１００、１０２の各端子１２０、１２２間に形成される抵抗分ＲＡは、従来と同様に各電池の端子１２０、１２２と各接点部１６０、１６２間の接触抵抗Ｒ１、Ｒ３及び接点部１６０、１６２間の導体抵抗Ｒ２の総和となる。
【００１４】
次に、図２に示すように、衝撃などによって各電池１００、１０２が各接点部１６０、１６２から浮き上がった場合、電池１００、１０２の各端子１２０、１２２と各接点部１６０、１６２の接続が切断されるが、各瞬断防止部材２０４、２０６の各端子２０４Ａ、２０６Ａが電池の各端子１２０、１２２に追従して接触状態を維持する。
【００１５】
この場合、電池の電流は、主として各瞬断防止部材２０４、２０６を介して流れるとともに、各瞬断防止部材２０４、２０６が導電板１４と接触している箇所、例えばかしめ軸２２で導電板１４に固定されている箇所などを介して導電板１４にも流れる。したがって、電池１００、１０２の各端子１２０、１２２間に形成される抵抗分ＲＣは、図３に示すように、各電池の端子１２０、１２２と各瞬断防止部材２０４、２０６の端子２０４Ａ、２０６Ａ間の接触抵抗Ｒ２１、Ｒ２３及び瞬断防止部材２０４、２０６の導体抵抗Ｒ２２の総和よりも少ない値となる。
したがって、従来と違って、電池の電流が各瞬断防止部材２０４、２０６を経由して流れるため、各電池の端子間に生じる抵抗分ＲＣは、通常時の抵抗分ＲＡよりも増大することはない。このため、電池の電力が無駄に消費されることがなく、低消費電力化が必要な電子機器に好適である。
【００１６】
なお、上述の実施の形態では、瞬断防止部材を線状部材としたが、瞬断防止部材を導電性及び弾性を有する板状部材によって構成することもできる。
図８は、瞬断防止部材を導電性及び弾性を有する板状部材によって構成した他の実施の形態を示す斜視図である。
図８に示すように、導電性及び弾性を有する板状部材によって構成された瞬断防止部材２１２の長手方向の一端には、孔２１４が設けられた固定部２１６が形成されている。
【００１７】
図９は、瞬断防止部材２１２の固定部２１６の断面図である。
図９に示されているように、この固定部２１６の孔２１４が接点部１６０とともにかしめられることによって瞬断防止部材２１２が導電板１４の裏面に固定されている。
瞬断防止部材２１２の他端には、矩形状を呈する窓１８Ａから突出する方向に付勢された端子２１２Ａが設けられている。端子２１２Ａは、板状部材からなる瞬断防止部材２１２を上方に凸部が形成されるように折り曲げることで構成されている。
【００１８】
図１０は図９のＤＤ線断面図である。図１０に示すように、端子２１２Ａは、瞬断防止部材２１２の長手方向に沿って延在する断面円弧状の凸条２１８が設けられており、この凸条２１８の箇所が電池の端子に接触するようになっている。
また、図８には、一方の瞬断防止部材２１２のみを示したが、不図示の他方の瞬断防止部材が中間部２０９によってこの瞬断防止部材２１２と連結されるようになっていることは、前述した実施の形態の場合と同様である。
以上説明した他の実施の形態においても、前述した実施の形態と同様の作用効果を奏することはいうまでもない。
【００１９】
【発明の効果】
以上の説明で明らかなように本発明の電池の接続構造は、導電部材からなる導電板と、前記導電板の裏面から表面に向けて凸状に設けられた二つの接点部と、前記導電板の裏面に配設され弾性及び導電性を有する材料から細長状に形成された瞬断防止部材と、前記接点部に開口された窓とを備え、前記瞬断防止部材は前記二つの接点部に対応してそれぞれ設けられ、前記各瞬断防止部材の長手方向の一端は導電板の裏面に取着され、前記各瞬断防止部材の他端には、前記窓から前記導電板の表面側に突出し、かつ突出する方向に付勢された端子が形成された電池の接続構造において、前記二つの瞬断防止部材は、それらの一端が連結された単一の部材により形成されている構成とした。
そのため、従来と違って各瞬断防止部材と導電板間の接触抵抗が発生しないため、振動などによって電池の端子が各接点部から離間した際に電池の電流が各瞬断防止部材を流れる場合に生じる抵抗分は、通常時に電池の電流が各接点部を流れる場合に生じる抵抗分よりも増大せず、電池の電力が無駄に消費されることがなく、低消費電力化が必要な電子機器に好適である。
【図面の簡単な説明】
【図１】本発明の電池の接続構造の実施の形態を示す斜視図である。
【図２】図１のＡＡ線断面図である。
【図３】瞬断防止部材に電流が流れた場合に生じる抵抗分を示す回路図である。
【図４】従来構造を示す斜視図である。
【図５】図４のＢＢ線断面図である。
【図６】２つの電池を接続する従来構造を示す斜視図である。
【図７】図６のＣＣ線断面図である。
【図８】他の実施の形態を示す斜視図である。
【図９】図８における瞬断防止部材の固定部の断面図である。
【図１０】図８のＤＤ線断面図である。
【符号の説明】
１４……導電板、１８、１８Ａ……窓、２２……かしめ軸、１００、１０２……電池、１２０、１２２……電池の端子、１６０、１６２……接点部、１７……孔、２０４、２０６、２１２……瞬断防止部材、２０４Ａ、２０６Ａ、２１２Ａ……端子、２０８、２１０……巻回部。
【図１】
0003659291.tif 000002
【図２】
0003659291.tif 000003
【図３】
0003659291.tif 000004
【図４】
0003659291.tif 000005
【図５】
0003659291.tif 000006
【図６】
0003659291.tif 000007
【図７】
0003659291.tif 000008
【図８】
0003659291.tif 000009
【図９】
0003659291.tif 000010
【図１０】
0003659291.tif 000011